(57)【要約】【課題】複数の画像処理パラメータを変更するための操作系において、画像処理パラメータを変更可能な段階数を簡単な操作で調整すること。【解決手段】撮像装置は、第１画像部分と第２画像部分とを有するパラメータ画像を表示手段に表示する表示制御手段と、選択手段により選択された選択位置が第１画像部分にある場合は選択位置に応じて第１画像処理パラメータを変更し、選択位置が第２画像部分にある場合は選択位置に応じて第２画像処理パラメータを変更するパラメータ変更手段と、を備え、表示制御手段は、拡大操作が検出された場合には、第１画像部分および第２画像部分の両方において画像処理パラメータを変更可能な段階数を増やして表示し、段階数が所定の上限値となった状態においてさらに拡大操作が検出された場合には、第１画像部分および第２画像部分のいずれか一方において段階数をさらに増やした状態で表示する。【選択図】図１
2015106744.tif 000002
【特許請求の範囲】
【請求項１】
被写体像を撮像する撮像手段と、
前記撮像手段により撮像された撮像画像に対して、第１画像処理パラメータまたは第２画像処理パラメータに基づいて画像処理を行う画像処理手段と、
前記第１画像処理パラメータを段階的に変更するための第１画像部分と前記第２画像処理パラメータを段階的に変更するための第２画像部分とを有するパラメータ画像を表示手段に表示する表示制御手段と、
前記パラメータ画像における位置を選択する選択手段と、
前記選択手段により選択された選択位置が前記第１画像部分にある場合は前記選択位置に応じて前記第１画像処理パラメータを変更し、前記選択位置が前記第２画像部分にある場合は前記選択位置に応じて前記第２画像処理パラメータを変更するパラメータ変更手段と、
前記パラメータ画像を拡大するための拡大操作と前記パラメータ画像を縮小するための縮小操作を検出する操作検出手段と、
を備え、
前記表示制御手段は、前記操作検出手段により前記縮小操作が検出された場合には、前記第１画像部分および前記第２画像部分の両方において画像処理パラメータを変更可能な段階数を減らして表示し、前記拡大操作が検出された場合には、前記第１画像部分および前記第２画像部分の両方において画像処理パラメータを変更可能な段階数を増やして表示し、前記段階数が所定の上限値となった状態においてさらに前記拡大操作が検出された場合には、前記第１画像部分および前記第２画像部分のいずれか一方において前記段階数をさらに増やした状態で表示することを特徴とする撮像装置。
【請求項２】
請求項１に記載の撮像装置において、
前記表示制御手段は、前記段階数が前記上限値となった状態においてさらに前記拡大操作が検出された場合には、前記第１画像部分および前記第２画像部分のいずれか一方を拡大すると共に前記段階数をさらに増やして表示し、他方を非表示にすることを特徴とする撮像装置。
【請求項３】
請求項１に記載の撮像装置において、
前記表示制御手段は、前記段階数が前記上限値となった状態においてさらに前記拡大操作が検出された場合には、前記第１画像部分および前記第２画像部分のうちいずれか一方の形状を変更すると共に前記段階数をさらに増やして表示し、他方を非表示にすることを特徴とする撮像装置。
【請求項４】
請求項３に記載の撮像装置において、
前記パラメータ画像は円形状であり、前記第１画像部分および前記第２画像部分は円弧形状であり、
前記段階数が前記上限値となった状態においてさらに前記拡大操作が検出された場合における前記形状の変更は、円弧形状から円形状への変更であることを特徴とする撮像装置。
【請求項５】
請求項１〜４のいずれか一項に記載の撮像装置において、
前記表示制御手段は、前記段階数が所定の下限値となった状態においてさらに前記縮小操作が検出された場合には、前記パラメータ画像を非表示にすることを特徴とする撮像装置。
【請求項６】
請求項１〜５のいずれか一項に記載の撮像装置において、
前記表示制御手段は、前記パラメータ画像が表示されていない状態において、前記拡大操作が検出された場合には、前記パラメータ画像を表示することを特徴とする撮像装置。
【請求項７】
請求項１〜６のいずれか一項に記載の撮像装置において、
前記表示手段に対する接触物の接触位置を検出する接触位置検出手段をさらに備え、
前記操作検出手段は、前記接触位置検出手段により複数の接触位置が検出されている場合に、前記複数の接触位置の間隔が広げられる操作を前記拡大操作として検出し、前記複数の接触位置の間隔が狭められる操作を前記縮小操作として検出することを特徴とする撮像装置。
【請求項８】
請求項１〜７のいずれか一項に記載の撮像装置において、
前記第１画像処理パラメータは、前記撮像画像に対して行う第１画像処理および第２画像処理の比率を示すパラメータであり、
前記第２画像処理パラメータは、前記撮像画像に対して行う第３画像処理および第４画像処理の比率を示すパラメータであることを特徴とする撮像装置。
【請求項９】
撮像画像を取得する取得工程と、
前記取得工程により取得された撮像画像に対して、第１画像処理パラメータまたは第２画像処理パラメータに基づいて画像処理を行う画像処理工程と、
前記第１画像処理パラメータを段階的に変更するための第１画像部分と前記第２画像処理パラメータを段階的に変更するための第２画像部分とを有するパラメータ画像を表示手段に表示する第１表示工程と、
前記パラメータ画像における位置を選択する選択工程と、
前記選択工程により選択された選択位置が前記第１画像部分にある場合は前記選択位置に応じて前記第１画像処理パラメータを変更し、前記選択位置が前記第２画像部分にある場合は前記選択位置に応じて前記第２画像処理パラメータを変更するパラメータ変更工程と、
前記パラメータ画像を拡大するための拡大操作と前記パラメータ画像を縮小するための縮小操作を検出する操作検出工程と、
前記操作検出工程により前記縮小操作が検出された場合には、前記第１画像部分および前記第２画像部分の両方において画像処理パラメータを変更可能な段階数を減らして表示し、前記拡大操作が検出された場合には、前記第１画像部分および前記第２画像部分の両方において画像処理パラメータを変更可能な段階数を増やして表示し、前記段階数が所定の上限値となった状態においてさらに前記拡大操作が検出された場合には、前記第１画像部分および前記第２画像部分のいずれか一方において前記段階数をさらに増やして表示する第２表示工程と、
を有することを特徴とする画像処理方法。
【請求項１０】
請求項９に記載の画像処理方法をコンピュータに実行させることを特徴とする画像処理プログラム。
【発明の詳細な説明】
【技術分野】
【０００１】
本発明は、撮像装置、画像処理方法および画像処理プログラムに関する。
【背景技術】
【０００２】
ピンチイン操作およびピンチアウト操作によって、表示するタイムスケールを切り替えるユーザインタフェースが知られている（特許文献１参照）。このユーザインタフェースでは、たとえば年ベースで表されたタイムスケールに対してピンチアウト操作が行われると、月ベースのタイムスケールに切り替えるようになっている。
【先行技術文献】
【特許文献】
【０００３】
【特許文献１】特開２０１２−１７３８９０号公報
【発明の概要】
【発明が解決しようとする課題】
【０００４】
上記従来技術は、複数種類のパラメータを変更するための操作系に適用することができなかった。
【課題を解決するための手段】
【０００５】
（１）請求項１に記載の撮像装置は、被写体像を撮像する撮像手段と、撮像手段により撮像された撮像画像に対して、第１画像処理パラメータまたは第２画像処理パラメータに基づいて画像処理を行う画像処理手段と、第１画像処理パラメータを段階的に変更するための第１画像部分と第２画像処理パラメータを段階的に変更するための第２画像部分とを有するパラメータ画像を表示手段に表示する表示制御手段と、パラメータ画像における位置を選択する選択手段と、選択手段により選択された選択位置が第１画像部分にある場合は選択位置に応じて第１画像処理パラメータを変更し、選択位置が第２画像部分にある場合は選択位置に応じて第２画像処理パラメータを変更するパラメータ変更手段と、パラメータ画像を拡大するための拡大操作とパラメータ画像を縮小するための縮小操作を検出する操作検出手段と、を備え、表示制御手段は、操作検出手段により縮小操作が検出された場合には、第１画像部分および第２画像部分の両方において画像処理パラメータを変更可能な段階数を減らして表示し、拡大操作が検出された場合には、第１画像部分および第２画像部分の両方において画像処理パラメータを変更可能な段階数を増やして表示し、段階数が所定の上限値となった状態においてさらに拡大操作が検出された場合には、第１画像部分および第２画像部分のいずれか一方において段階数をさらに増やした状態で表示することを特徴とする。
（２）請求項９に記載の画像処理方法は、撮像画像を取得する取得工程と、取得工程により取得された撮像画像に対して、第１画像処理パラメータまたは第２画像処理パラメータに基づいて画像処理を行う画像処理工程と、第１画像処理パラメータを段階的に変更するための第１画像部分と第２画像処理パラメータを段階的に変更するための第２画像部分とを有するパラメータ画像を表示手段に表示する第１表示工程と、パラメータ画像における位置を選択する選択工程と、選択工程により選択された選択位置が第１画像部分にある場合は選択位置に応じて第１画像処理パラメータを変更し、選択位置が第２画像部分にある場合は選択位置に応じて第２画像処理パラメータを変更するパラメータ変更工程と、パラメータ画像を拡大するための拡大操作とパラメータ画像を縮小するための縮小操作を検出する操作検出工程と、操作検出工程により縮小操作が検出された場合には、第１画像部分および第２画像部分の両方において画像処理パラメータを変更可能な段階数を減らして表示し、拡大操作が検出された場合には、第１画像部分および第２画像部分の両方において画像処理パラメータを変更可能な段階数を増やして表示し、段階数が所定の上限値となった状態においてさらに拡大操作が検出された場合には、第１画像部分および第２画像部分のいずれか一方において段階数をさらに増やして表示する第２表示工程と、を有することを特徴とする。
（３）請求項１０に記載の画像処理プログラムは、請求項９に記載の画像処理方法をコンピュータに実行させることを特徴とする。
【発明の効果】
【０００６】
本発明によれば、複数の画像処理パラメータを変更するための操作系において、画像処理パラメータを変更可能な段階数を簡単な操作で調整することができる。
【図面の簡単な説明】
【０００７】
【図１】本発明の一実施の形態によるデジタルカメラの構成例を説明するブロック図である。
【図２】リング画像を説明する図である。
【図３】カーソルの位置に応じた画像処理を説明する図である。
【図４】被写体の種類に応じた画像処理の組合せを説明する図である。
【図５】リング画像の表示サイズを変更する処理を説明する図である。
【図６】クリエイティブモードにおける処理の流れを説明するフローチャートである。
【図７】カーソルの位置に応じた画像処理の流れを説明するフローチャートである。
【図８】リング画像の表示サイズを変更する処理の流れを説明するフローチャートである。
【図９】図８に続く処理の流れを説明するフローチャートである。
【図１０】変形例１におけるリング画像の表示例を説明する図である。
【図１１】変形例３におけるリング画像の表示例を説明する図である。
【図１２】変形例４におけるリング画像の表示例を説明する図である。
【図１３】プログラムの提供の様子を説明する図である。
【発明を実施するための形態】
【０００８】
以下、図面を参照して本発明の一実施形態について説明する。図１は、本実施形態に係るデジタルカメラ１の構成を示すブロック図である。デジタルカメラ１は、撮像光学系１１と、撮像素子１２と、レンズ駆動回路１３と、制御部１４と、操作部材１６と、表示部１７とを備えている。デジタルカメラ１には、例えばメモリカードなどの記録媒体１８が着脱可能である。
【０００９】
撮像光学系１１は、ズームレンズやフォーカシングレンズを含む複数のレンズ群で構成され、被写体像を撮像素子１２の受光面に結像させる。なお、図１を簡単にするため、撮像光学系１１を単レンズとして図示している。
【００１０】
レンズ駆動回路１３は、制御部１４の制御のもと、撮像光学系１１のズームレンズを駆動して焦点距離を調節するとともに、撮像光学系１１のフォーカシングレンズを駆動して焦点調節を行う。
【００１１】
撮像素子１２は、例えばＣＭＯＳ撮像素子などのイメージセンサであり、撮像光学系１１により結像した被写体像を撮像して、得られた画像信号を制御部１４へ出力する。
【００１２】
制御部１４は、表示制御部１４ａ、選択部１４ｂ、パラメータ変更部１４ｃ、画像処理部１４ｄ、および操作検出部１４ｅを有する。制御部１４は、ＣＰＵ、メモリ、およびその周辺回路から構成され、メモリに格納された制御プログラムを実行することにより、これらの各部の機能を実現している。各部の機能の内容については、後で詳しく説明する。
【００１３】
表示部１７は、デジタルカメラ１の背面に搭載された液晶モニタ（背面モニタ）等で構成され、撮像素子１２により撮像された撮像画像や各種設定メニューなどが表示される。
【００１４】
操作部材１６は、シャッターボタン１６ａと、表示部１７上に配置されたタッチパネル１６ｂと、を含む。タッチパネル１６ｂは、指などが接触された接触位置を検出して、制御部１４に接触位置を出力する。本実施形態のタッチパネル１６ｂは、いわゆるマルチタッチに対応するタッチパネルである。つまり、タッチパネル１６ｂは、表示部１７の表示画面において指等により同時に接触される少なくとも２点の接触位置を検出することができる。また、操作部材１６は、この他、録画ボタン、モード切替ボタン、十字キー、ＯＫボタン、ディスプレイボタンなどを含む。操作部材１６は、ユーザ操作に応じた操作信号を制御部１４へ出力する。制御部１４の操作検出部１４ｅは、この操作信号に応じて、操作部材１６に対してどのような操作が行われたかを検出する。
【００１５】
また、操作部材１６からの操作信号に応じて撮影モードに設定されると、制御部１４は、撮像素子１２に所定のフレームレートでスルー画用の撮像処理を行わせ、撮像素子１２から時系列で得られる各フレーム画像から表示用のフレーム画像を生成して表示部１７に出力する。これによって表示部１７には、スルー画がリアルタイムで表示される。
【００１６】
そして、シャッターボタンが押下操作されることにより撮影指示が行われると、制御部１４は、撮像素子１２に記録用の撮像処理を行わせ、撮像素子１２から取得した画像信号に対して所定の画像処理を行って静止画データを生成し、ＪＰＥＧなどの所定の方式により圧縮処理を行って、記録媒体１８に記録する。
【００１７】
また、操作部材１６からの操作信号に応じて再生モードに設定されると、制御部１４は、記録媒体１８に記録された静止画データを読み出して再生し、表示部１７に表示する。
【００１８】
ところで、本実施形態のデジタルカメラ１では、撮影モードとして、通常モードの他に、種々の画像処理を施した撮像画像を得ることのできるクリエイティブモードが設けられている。以下、このクリエイティブモードについて説明する。
【００１９】
クリエイティブモードにおいて、制御部１４の表示制御部１４ａは、図２に示すように、撮像画像に施す画像処理に係る画像処理パラメータを変更するための画像（以下、リング画像と表記する）５０を表示部１７に表示する。リング画像５０は、円形状のリング５１と、カーソル５２とを表示する画像である。カーソル５２は、選択部１４ｂによる選択位置を示す。操作検出部１４ｅは、カーソル５２に対するドラッグ操作（カーソル５２の表示位置をたとえば１本の指でタッチした後、タッチしたまま指を移動する操作）を検出する。選択部１４ｂは、操作検出部１４ｅにより検出されたカーソル５２に対するドラッグ操作に応じて、選択位置（カーソル５２の表示位置）をリング５１に沿って移動させる。
【００２０】
制御部１４のパラメータ変更部１４ｃは、カーソル５２の表示位置（すなわち選択部１４ｂの選択位置）の移動に応じて、撮像画像に施す画像処理の画像処理パラメータを変更する。制御部１４の画像処理部１４ｄは、撮像画像に対して、パラメータ変更部１４ｃにより変更された画像処理パラメータに基づいて画像処理を行う。表示制御部１４ａは、画像処理部１４ｄによる画像処理後の撮像画像を表示部１７に表示する。
【００２１】
本実施形態において、画像処理パラメータは、リング画像５０に設定された４つの画像処理（以下、第１画像処理〜第４画像処理と表記する）のうち、どの画像処理をどのくらいの比率で行うかを示すパラメータである。第１画像処理〜第４画像処理の内容について、詳しくは後述する。
【００２２】
リング画像５０のリング５１は、第１リング部分５１ａ〜第４リング部分５１ｄから構成されている。第１リング部分５１ａ〜第４リング部分５１ｄは、それぞれ中心角が９０度の円弧形状（１／４円形状）でなる。第１リング部分５１ａは、リング５１の頂上地点（第１位置）Ｐ１から時計周りに９０度離れた第２位置Ｐ２までの部分である。第２リング部分５１ｂは、リング５１の第２位置Ｐ２からさらに時計周りに９０度離れた第３位置Ｐ３までの部分である。第３リング部分５１ｃは、リング５１の第３位置Ｐ３からさらに時計周りに９０度離れた第４位置Ｐ４までの部分である。第４リング部分５１ｄは、リング５１の第４位置Ｐ４から第１位置Ｐ１までの部分である。なお、リング画像５０では、たとえばリング５１を４分割する線によって、第１リング部分５１ａ〜第４リング部分５１ｄの範囲を表示するようになっている。
【００２３】
次に、図３を用いて、カーソル５２の位置に応じて設定される画像処理パラメータを説明する。なお、リング画像５０では、画像処理パラメータを段階的に変更可能となっており、変更可能な段階数は、ユーザの操作によって増減可能となっている。画像処理パラメータを変更可能な段階数を増減する処理については、後述する。
【００２４】
リング画像５０の第１リング部分５１ａでは、第１画像処理と第２画像処理の比率を示すパラメータである第１画像処理パラメータを変更可能となっている。パラメータ変更部１４ｃは、選択部１４ｂにより選択された選択位置（カーソル５２の表示位置）が第１リング部分５１ａにある場合に当該選択位置に応じて第１画像処理パラメータを変更する。カーソルが第１位置Ｐ１に移動すると、パラメータ変更部１４ｃは、第１画像処理パラメータを「第１画像処理１００％（第１画像処理のみを行う設定）」に設定する。カーソルが第２位置Ｐ２に移動すると、パラメータ変更部１４ｃは、第１画像処理パラメータを「第２画像処理１００％（第２画像処理のみを行う設定）」に設定する。また、パラメータ変更部１４ｃは、第１画像処理パラメータを、カーソル５２の第１位置Ｐ１から第２位置Ｐ２への移動に応じて、「第１画像処理１００％」から「第２画像処理１００％」へ段階的に変更する。
【００２５】
たとえば、リング画像５０全体において画像処理パラメータを１６段階で変更可能な場合、第１画像処理パラメータは、「第１画像処理１００％」から「第２画像処理１００％」へ４段階で変更可能とされる。すなわち、「第１画像処理１００％」から、「第１画像処理７５％、第２画像処理２５％（第１画像処理を７５％、第２画像処理２５％の比率で行う設定）」、「第１画像処理５０％、第２画像処理５０％」、「第１画像処理２５％、第２画像処理７５％」を経て、「第２画像処理１００％」に変更される。この場合、第１位置Ｐ１から第２位置Ｐ２までの間を４分割するような３点（Ａ位置、Ｂ位置、Ｃ位置と表記する）が設定される。カーソル５２がＡ位置に移動すると「第１画像処理７５％、第２画像処理２５％」、Ｂ位置に移動すると「第１画像処理５０％、第２画像処理５０％」、Ｃ位置に移動すると「第１画像処理２５％、第２画像処理７５％」が設定される。
【００２６】
なお、「第１画像処理７５％、第２画像処理２５％」、「第１画像処理５０％、第２画像処理５０％」、および「第１画像処理２５％、第２画像処理７５％」は、第１画像処理および第２画像処理の両方を行う（すなわち第１画像処理および第２画像処理を重ねがけする）設定である。また、第１画像処理を７５％の比率で行うとは、たとえば、撮像画像に第１画像処理のみを施したとき（すなわち第１画像処理を１００％施したとき）における撮像画像の変化の度合いを１００％としたときに、その度合いの７５％程度撮像画像が変化するように第１画像処理を施すことである。
【００２７】
このようにパラメータ変更部１４ｃは、第１リング部分５１ａにおけるカーソル５２の位置に応じて、第１画像処理パラメータを段階的に変更する。これにより、カーソル５２が第１位置Ｐ１から第２位置Ｐ２へと時計周りに移動するのに伴って、表示部１７に表示される撮像画像が、第１画像処理のみを施した状態から第２画像処理のみを施した状態へと徐々に遷移する。
【００２８】
リング画像５０の第２リング部分５１ｂでは、第２画像処理と第３画像処理の比率を示すパラメータである第２画像処理パラメータを変更可能となっている。パラメータ変更部１４ｃは、選択部１４ｂにより選択された選択位置（カーソル５２の表示位置）が第２リング部分５１ｂにある場合に当該選択位置に応じて第２画像処理パラメータを変更する。パラメータ変更部１４ｃは、カーソルが第２位置Ｐ２に移動すると、第２画像処理パラメータを「第２画像処理１００％」に設定する。パラメータ変更部１４ｃは、カーソルが第３位置Ｐ３に移動すると、第２画像処理パラメータを「第３画像処理１００％」に設定する。また、パラメータ変更部１４ｃは、第２画像処理パラメータを、カーソル５２の第２位置Ｐ２から第３位置Ｐ３への移動に応じて、「第２画像処理１００％」から「第３画像処理１００％」へ段階的に変更する。なお、具体的な変更例については、上述した第１リング部分５１ａの場合と同様であるので説明を省略する。第２リング部分５１ｂでは、カーソル５２が第２位置Ｐ２から第３位置Ｐ３へと時計周りに移動するのに伴って、表示部１７に表示される撮像画像が、第２画像処理のみを施した状態から第３画像処理のみを施した状態へと徐々に遷移する。
【００２９】
リング画像５０の第３リング部分５１ｃでは、第３画像処理と第４画像処理の比率を示すパラメータである第３画像処理パラメータを変更可能となっている。パラメータ変更部１４ｃは、選択部１４ｂにより選択された選択位置（カーソル５２の表示位置）が第３リング部分５１ｃにある場合に当該選択位置に応じて第３画像処理パラメータを変更する。パラメータ変更部１４ｃは、カーソルが第３位置Ｐ３に移動すると、第３画像処理パラメータを「第３画像処理１００％」に設定する。パラメータ変更部１４ｃは、カーソルが第４位置Ｐ４に移動すると、第３画像処理パラメータを「第４画像処理１００％」に設定する。また、パラメータ変更部１４ｃは、第３画像処理パラメータを、カーソル５２の第３位置Ｐ３から第４位置Ｐ４への移動に応じて、「第３画像処理１００％」から「第４画像処理１００％」へ段階的に変更する。なお、具体的な変更例については、上述した第１リング部分５１ａの場合と同様であるので説明を省略する。第３リング部分５１ｃでは、カーソル５２が第３位置Ｐ３から第４位置Ｐ４へと時計周りに移動するのに伴って、表示部１７に表示される撮像画像が、第３画像処理のみを施した状態から第４画像処理のみを施した状態へと徐々に遷移する。
【００３０】
リング画像５０の第４リング部分５１ｄでは、第４画像処理と第１画像処理の比率を示すパラメータである第４画像処理パラメータを変更可能となっている。パラメータ変更部１４ｃは、選択部１４ｂにより選択された選択位置（カーソル５２の表示位置）が第４リング部分５１ｄにある場合に当該選択位置に応じて第４画像処理パラメータを変更する。パラメータ変更部１４ｃは、カーソルが第４位置Ｐ４に移動すると、第４画像処理パラメータを「第４画像処理１００％」に設定する。パラメータ変更部１４ｃは、カーソルが第１位置Ｐ１に移動すると、第４画像処理パラメータを「第１画像処理１００％」に設定する。また、パラメータ変更部１４ｃは、第４画像処理パラメータを、カーソル５２の第４位置Ｐ４から第１位置Ｐ１への移動に応じて、「第４画像処理１００％」から「第１画像処理１００％」へ段階的に変更する。なお、具体的な変更例については、上述した第１リング部分５１ａの場合と同様であるので説明を省略する。第４リング部分５１ｄでは、カーソル５２が第４位置Ｐ４から第１位置Ｐ１へと時計周りに移動するのに伴って、表示部１７に表示される撮像画像が、第４画像処理のみを施した状態から第１画像処理のみを施した状態へと徐々に遷移する。
【００３１】
このような構成により、カーソル５２が第１位置Ｐ１から時計周りに１回転すると、撮像画像に施される画像処理は、第１画像処理、第２画像処理、第３画像処理、第４画像処理の順で徐々に変更された後、第１画像処理に戻る。なお、カーソル５２が反時計回りに１回転する場合は、撮像画像に施される画像処理は、上述した時計周りに１回転する場合と逆の順で変化する。また、必ずしもカーソル５２が１回転しなくてもよく、たとえば、カーソル５２が時計周りに半周回転した後に反時計回りに移動して、画像処理の変化を戻すことも可能となっている。
【００３２】
次に、リング画像５０に設定される第１画像処理〜第４画像処理の内容について、詳しく説明する。なお、本説明において、画像処理には、たとえば彩度やコントラスト、ホワイトバランスなどのパラメータを変えることで画作りを行う処理や、たとえばフィルタをかけてぼかしたり周辺を暗くしてトイカメラ風にしたりするなど画像効果をかける処理が含まれるとする。クリエイティブモードでは、撮影シーンを判別するシーン判別処理を行い、判別した撮影シーンに応じた４つの画像処理を、第１画像処理〜第４画像処理としてリング画像５０に設定するようになっている。すなわち、判別される撮影シーンによって、リング画像５０に設定される第１画像処理〜第４画像処理の内容が異なっている。
【００３３】
判別される撮影シーンとしては、人物を撮影するシーンである「ポートレート」、被写体に接近して撮影するシーンである「接写」、風景を撮影するシーンである「風景」、「ポートレート」、「接写」、「風景」のいずれでもないシーンである「その他」の４種類である。なお、判別される撮影シーンの種類は一例であり、この他種々の撮影シーンを判別してもよい。撮影シーンの判別方法は、公知の方法を用いるものとする。制御部１４は、たとえば、撮像素子１２からの画像信号に基づく情報（輝度や色バランス（Ｒ／Ｇ比、Ｂ／Ｇ比）など）や、カメラ設定情報（撮像光学系１１の焦点距離や撮影倍率など）に基づいて撮影シーンを判別する。
【００３４】
図４は、撮影シーンに応じた第１画像処理〜第４画像処理の組合せを説明する図である。デジタルカメラ１では、撮影シーンごとに、それぞれの撮影シーンに適した４種類の画像処理が第１画像処理〜第４画像処理として予め設定されている。たとえば、撮影シーン「人物」用のリング画像５０ｐには、第１画像処理として「ポートレート」、第２画像処理として「モノクローム」、第３画像処理として「ハイキー」、第４画像処理として「クロスプロセス（Ｒ）」が設定される。撮影シーン「接写」用のリング画像５０ｎには、第１画像処理として「ビビッド」、第２画像処理として「ハイキー」、第３画像処理として「トイカメラ」、第４画像処理として「セレクトカラー」が設定される。撮影シーン「風景」用のリング画像５０ｇには、第１画像処理として「クロスプロセス（Ｂ）」、第２画像処理として「風景」、第３画像処理として「フィルターモノクロ（セピア）」、第４画像処理として「アヴァンギャルド」が設定される。撮影シーン「その他」用のリング画像５０ｓには、第１画像処理として「アヴァンギャルド」、第２画像処理として「モノクローム」、第３画像処理として「トイカメラ」、第４画像処理として「クロスプロセス（Ｇ）」が設定される。なお、図４では説明のため、撮影シーンおよび第１画像処理〜第４画像処理の内容を示すテキストを記載しているが、実際の表示部１７の表示画面では当該テキストは表示されず、リング５１とカーソル５２のみが表示される。すなわち、リング画像５０ｐ、５０ｎ、５０ｇ、５０ｓは、表示部１７の表示画面ではどの撮影シーンでも同じ画像として（すなわち同じ表示内容で）表示される。
【００３５】
「ポートレート」は、人物の肌をきれいに見せる画作りを行うための画像処理である。「モノクローム」は、白黒の濃淡のみの画作りを行うための画像処理である。「ハイキー」は、画面全体が明るく陰影の少ない画作りを行うための画像処理である。「クロスプロセス（Ｒ）」、「クロスプロセス（Ｇ）」、および「クロスプロセス（Ｂ）」は、クロスプロセス（ポジフィルムを使いネガ用の現像を行う銀塩写真の手法）を行ったような画像効果を得るための画像処理である。なお、「クロスプロセス（Ｒ）」では赤みの強い画像が得られ、「クロスプロセス（Ｇ）」では緑みの強い画像が得られ、「クロスプロセス（Ｂ）」では青みの強い画像が得られる。「ビビッド」は、コントラストが強調された色鮮やかな画作りを行うための画像処理である。「トイカメラ」は、トイカメラで撮影したような画像効果を得るための画像処理である。「セレクトカラー」は、特定の色だけを残してその他をモノクロに変化した画像効果を得るための画像処理である。「風景」は、自然や街並みなどの景観に適した画作りを行うための画像処理である。「フィルターモノクロ（セピア）」は、セピア色の濃淡のみの画作りを行うための画像処理である。「アヴァンギャルド」は、「ビビッド」よりもさらにコントラストと彩度を上げて独特の画作りを行うための画像処理である。
【００３６】
なお、撮影シーンごとの第１画像処理〜第４画像処理の組合せに関する情報は、デジタルカメラ１内の不図示のメモリに予め記憶されている。
【００３７】
また、クリエイティブモードでは、ユーザがタッチパネル１６ｂ上でピンチイン操作またはピンチアウト操作を行うことにより、リング画像５０の表示サイズを変更すると共に、リング画像５０において画像処理パラメータを変更可能な段階数を増減できるようになっている。以下、図５を用いて、この点について説明する。
【００３８】
制御部１４の操作検出部１４ｅは、タッチパネル１６ｂの出力信号に基づいて、同時に検出された複数の接触位置の間隔が狭められる操作をピンチイン操作として検出し、同時に検出された複数の接触位置が広げられる操作をピンチアウト操作として検出する。
【００３９】
クリエイティブモードを開始した時点では、リング画像５０は表示部１７に表示されていない。リング画像５０が表示されていない状態において、操作検出部１４ｅによりピンチアウト操作が検出された場合に、表示制御部１４ａは、リング画像５０を表示する。このとき、表示制御部１４ａは、リング画像５０を所定の第１サイズで表示する。第１サイズは、後述する第２サイズおよび第３サイズよりも小さいサイズである。また、表示制御部１４ａは、リング画像５０を第１サイズで表示するとき、第１〜第４リング部分５１ａ〜５１ｄにおいて第１〜第４画像処理パラメータを変更可能な段階数をそれぞれ所定の下限値、たとえば１段階とする。このとき、リング画像５０全体では、画像処理パラメータを４段階で変更可能となる。第１サイズで表示されたリング画像５０では、第１画像処理パラメータ〜第４画像処理パラメータについて、簡便な調整（荒い調整）を行うことができる。
【００４０】
また、操作検出部１４ｅにより、第１サイズで表示されているリング画像５０上においてピンチアウト操作が検出された場合には、表示制御部１４ａは、リング画像５０の表示サイズを第１サイズよりも大きい第２サイズに拡大する。このとき表示制御部１４ａは、第１〜第４リング部分５１ａ〜５１ｄにおいて第１〜第４画像処理パラメータを変更可能な段階数をそれぞれ第１サイズのときよりも増やして、たとえば４段階とする。このとき、リング画像５０全体では、画像処理パラメータが１６段階で変更可能となる。第２サイズで表示されたリング画像５０では、第１画像処理パラメータ〜第４画像処理パラメータについて、第１サイズのときよりも細かい調整を行うことができる。
【００４１】
また、操作検出部１４ｅにより、第２サイズで表示されているリング画像５０上においてピンチアウト操作が検出された場合には、表示制御部１４ａは、リング画像５０の表示サイズを第２サイズよりも大きい第３サイズに拡大する。このとき表示制御部１４ａは、第１〜第４リング部分５１ａ〜５１ｄにおいて第１〜第４画像処理パラメータを変更可能な段階数をそれぞれ第２サイズのときよりも増やして、所定の上限値、たとえば１６段階とする。このとき、リング画像５０全体では、画像処理パラメータが６４段階で変更可能となる。第３サイズで表示されたリング画像５０では、第１画像処理パラメータ〜第４画像処理パラメータについて、第２サイズのときよりもさらに細かい調整を行うことができる。
【００４２】
また、操作検出部１４ｅにより、第３サイズで表示されているリング画像５０上においてピンチアウト操作が検出された場合には、表示制御部１４ａは、カーソル５２が表示されている（すなわち選択部１４ｂによる選択位置がある）リング部分（図５では第１リング部分５１ａ）のみを抜き出して拡大すると共に、この他のリング部分（図５では第２リング部分５１ｂ〜第４リング部分５１ｄ）を非表示にする。このとき、リング画像５０は第１リング部分５１ａのみとなるので、１／４円形状となる。また、このとき、表示制御部１４ａは、拡大した第１リング部分５１ａにおいて第１画像処理パラメータを変更可能な段階数を第３サイズのときよりも増やして、たとえば３２段階とする。したがって、第１画像処理パラメータについて、第３サイズのときよりもさらに細かい調整を行うことができる。
【００４３】
また、操作検出部１４ｅにより、１つのリング部分のみが拡大されて表示されているリング画像５０上においてピンチイン操作が検出された場合には、表示制御部１４ａは、リング画像５０全体を第３サイズで表示する状態に戻し、第１〜第４リング部分５１ａ〜５１ｄにおいて第１〜第４画像処理パラメータを変更可能な段階数をそれぞれ上述した所定の上限値（たとえば１６段階）とする。
【００４４】
また、操作検出部１４ｅにより、第３サイズで表示されているリング画像５０上において、ピンチイン操作が検出された場合には、表示制御部１４ａは、リング画像５０を上記第２サイズに縮小し、第１〜第４リング部分５１ａ〜５１ｄにおいて第１〜第４画像処理パラメータを変更可能な段階数をそれぞれ上述した所定の段階数（たとえば４段階）に減らす。
【００４５】
また、操作検出部１４ｅにより、第２サイズで表示されているリング画像５０上において、ピンチイン操作が検出された場合には、表示制御部１４ａは、リング画像５０を上記第１サイズに縮小し、第１〜第４リング部分５１ａ〜５１ｄにおいて第１〜第４画像処理パラメータを変更可能な段階数をそれぞれ上述した所定の下限値（たとえば１段階）に減らす。
【００４６】
また、操作検出部１４ｅにより、第１サイズで表示されているリング画像５０上において、操作検出部１４ｅによりピンチイン操作が検出された場合には、表示制御部１４ａは、リング画像５０を非表示にする。
【００４７】
次に、クリエイティブモードにおいて制御部１４が実行する処理の流れを、図６に示すフローチャートを用いて説明する。なお、図６に示す処理は、撮影モードがクリエイティブモードに設定されている間、繰り返し行われる。撮影モードがクリエイティブモードに切り替えられると、制御部１４は、スルー画の表示処理を開始すると共に、不図示のメモリに記録された図６に示す処理を行うプログラムを起動して、当該処理を開始する。
【００４８】
ステップＳ１において、操作検出部１４ｅは、タッチパネル１６ｂの出力信号に基づいて、ピンチアウト操作が行われたか否かを判定する。操作検出部１４ｅは、ピンチアウト操作が行われていない場合にはステップＳ１を否定判定してステップＳ１の処理を繰り返し、ピンチアウト操作が行われるとステップＳ１を肯定判定して、ステップＳ２へ進む。
【００４９】
ステップＳ２において、表示制御部１４ａは、スルー画に重ねて、リング画像５０を第１サイズで表示して、ステップＳ３へ進む。またこのとき、制御部１４は、上述したように、シーン判別処理を行って、判別した撮影シーンに応じた第１画像処理〜第４画像処理をリング画像５０に設定する。
【００５０】
ステップＳ３において、制御部１４は、タッチパネル１６ｂに対して、リング画像５０のカーソル５２を移動するための操作（すなわちカーソル５２に対するドラッグ操作）が行われたか否かを判定する。制御部１４は、当該操作が行われた場合にはステップＳ４へ進み、当該操作が行われていない場合にはステップＳ５へ進む。
【００５１】
ステップＳ４において、制御部１４は、上述したように、リング画像５０のカーソル５２の位置に応じて画像処理を行う。この処理の流れを、図７に示すフローチャートを用いて説明する。ステップＳ４１において、選択部１４ｂは、上記カーソル５２に対するドラッグ操作に応じて、選択位置（カーソル５２の表示位置）を移動させ、ステップＳ４２へ進む。
【００５２】
ステップＳ４２において、パラメータ変更部１４ｃは、上述したように、選択位置（カーソル５２の表示位置）の移動に応じて、撮像画像に施す画像処理の画像処理パラメータを変更し、ステップＳ４３へ進む。
【００５３】
ステップＳ４３において、画像処理部１４ｄは、撮像素子１２から撮像画像を取得し、取得した撮像画像に対してステップＳ４２で変更された画像処理パラメータに基づいて画像処理を行い、ステップＳ４４へ進む。
【００５４】
ステップＳ４４において、表示制御部１４ａは、ステップＳ４３での画像処理後の撮像画像をスルー画として表示部１７に表示し、図７に示す処理を終了して、図６のステップＳ５へ進む。
【００５５】
図６のステップＳ５において、操作検出部１４ｅは、タッチパネル１６ｂに対して、リング画像５０の表示サイズを変更するための操作（すなわちリング画像５０上におけるピンチイン操作またはピンチアウト操作）が行われたか否かを判定する。操作検出部１４ｅは、当該操作を検出した場合にはステップＳ６へ進み、当該操作を検出していない場合にはステップＳ７へ進む。
【００５６】
ステップＳ６において、表示制御部１４ａは、上述したように、リング画像５０に対するピンチイン操作またはピンチアウト操作に応じて、リング画像５０の表示サイズを変更するサイズ変更処理を行う。このサイズ変更処理の流れを、図８および図９に示すフローチャートを用いて説明する。図８のステップＳ６１において、表示制御部１４ａは、表示しているリング画像５０のサイズが第１サイズであるか否かを判定し、第１サイズである場合はステップＳ６２へ進み、第１サイズではない場合はステップＳ６５へ進む。
【００５７】
ステップＳ６２において、表示制御部１４ａは、ステップＳ５で操作検出部１４ｅにより検出された操作がピンチイン操作であるかピンチアウト操作であるかを判定する。表示制御部１４ａは、検出された操作がピンチイン操作である場合はステップＳ６３へ進み、リング画像５０を非表示にして、サイズ変更処理を終了する。一方、表示制御部１４ａは、検出された操作がピンチアウト操作である場合はステップＳ６４へ進み、リング画像５０を第２サイズに拡大して第１〜第４画像処理パラメータを変更可能な段階数をそれぞれ所定数増やし、サイズ変更処理を終了する。
【００５８】
ステップＳ６１を否定判定した場合に進むステップＳ６５において、表示制御部１４ａは、表示しているリング画像５０のサイズが第２サイズであるか否かを判定し、第２サイズである場合はステップＳ６６へ進み、第２サイズではない場合はステップＳ６９（図９）へ進む。
【００５９】
ステップＳ６６において、表示制御部１４ａは、ステップＳ５で操作検出部１４ｅにより検出された操作がピンチイン操作であるかピンチアウト操作であるかを判定する。表示制御部１４ａは、検出された操作がピンチイン操作である場合はステップＳ６７へ進み、リング画像５０を第１サイズに縮小して第１〜第４画像処理パラメータを変更可能な段階数をそれぞれ所定数減らし、サイズ変更処理を終了する。一方、表示制御部１４ａは、検出された操作がピンチアウト操作である場合はステップＳ６８へ進み、リング画像５０を第３サイズに拡大して第１〜第４画像処理パラメータを変更可能な段階数をそれぞれ所定数増やし、サイズ変更処理を終了する。
【００６０】
ステップＳ６５を否定判定した場合に進む図９のステップＳ６９において、表示制御部１４ａは、表示しているリング画像５０のサイズが第３サイズであるか否かを判定し、第３サイズである場合はステップＳ７０へ進み、第３サイズではない場合はステップＳ７３へ進む。
【００６１】
ステップＳ７０において、表示制御部１４ａは、ステップＳ５で操作検出部１４ｅにより検出された操作がピンチイン操作であるかピンチアウト操作であるかを判定する。表示制御部１４ａは、検出された操作がピンチイン操作である場合はステップＳ７１へ進み、リング画像５０を第２サイズに縮小して第１〜第４画像処理パラメータを変更可能な段階数をそれぞれ所定数減らし、サイズ変更処理を終了する。一方、表示制御部１４ａは、検出された操作がピンチアウト操作である場合はステップＳ７２へ進み、カーソル５２が表示されているリング部分のみを抜き出して拡大し、拡大したリング部分において画像処理パラメータを変更可能な段階数を増やして、サイズ変更処理を終了する。
【００６２】
ステップＳ６９を否定判定してステップＳ７３に進む場合とは、表示しているリング画像５０が１つのリング部分のみを抜き出して拡大した形状（すなわち１／４円形状）の場合となる。ステップＳ７３において、表示制御部１４ａは、ステップＳ５で操作検出部１４ｅにより検出された操作がピンチイン操作であるかピンチアウト操作であるかを判定する。表示制御部１４ａは、検出された操作がピンチイン操作である場合はステップＳ７４へ進み、リング画像５０を第３サイズで表示する状態に戻して、サイズ変更処理を終了する。一方、表示制御部１４ａは、検出された操作がピンチアウト操作である場合は、サイズ変更処理を終了する。すなわち、表示制御部１４ａは、リング画像５０が１つのリング部分のみを拡大して表示している状態では、ピンチアウト操作が行われてもリング画像５０の表示サイズを変更せず、そのままの状態とする。
【００６３】
このようにして、リング画像５０のサイズ変更処理を終了すると、制御部１４は、ステップＳ７（図６）へ進む。
【００６４】
ステップＳ７において、操作検出部１４ｅは、ユーザにより撮影指示が行われたか（すなわちシャッターボタン１６ａが押下されたか）否かを判定する。操作検出部１４ｅは、撮影指示が行われた場合にはステップＳ８へ進み、撮影指示が行われていない場合にはステップＳ９へ進む。
【００６５】
ステップＳ８において、制御部１４は、撮像素子１２に記録用の撮像処理を行わせる。画像処理部１４ｄは、当該撮像処理により得られた撮像画像データに対して、上記撮影指示の時点でリング画像５０において設定されていた画像処理パラメータに基づく画像処理を行う。そして、制御部１４は、当該画像処理が施された撮像画像データを、静止画データとして記録媒体１８に記録し、図６に示す処理を終了する。
【００６６】
一方、ステップＳ９において、制御部１４は、リング画像５０が表示中であるか否かを判定する。リング画像５０が表示中である場合には、制御部１４はステップＳ９を肯定判定してステップＳ３に戻る。一方、上記ステップＳ６の処理によって、リング画像５０が非表示にされた場合には、制御部１４は、ステップＳ９を否定判定してステップＳ１に戻る。
【００６７】
以上説明した実施の形態によれば、次の作用効果が得られる。
（１）デジタルカメラ１において、表示制御部１４ａは、第１画像処理パラメータ〜第４画像処理パラメータをそれぞれ段階的に変更するための第１リング部分５１ａ〜第４リング部分５１ｄを有するリング画像５０を表示する。表示制御部１４ａは、操作検出部１４ｅによりリング画像５０を縮小するための操作（ピンチイン操作）が検出された場合には、第１リング部分５１ａ〜第４リング部分５１ｄにおいてそれぞれ第１画像処理パラメータ〜第４画像処理パラメータを変更可能な段階数を減らして表示する。また、表示制御部１４ａは、操作検出部１４ｅによりリング画像５０を拡大するための操作（ピンチアウト操作）が検出された場合には、第１リング部分５１ａ〜第４リング部分５１ｄにおいてそれぞれ第１画像処理パラメータ〜第４画像処理パラメータを変更可能な段階数を増やして表示する。このような構成により、デジタルカメラ１では、第１画像処理パラメータ〜第４画像処理パラメータを変更するための操作系（リング画像５０）において、第１画像処理パラメータ〜第４画像処理パラメータを変更可能な段階数を簡単な操作で調整することができる。また、表示制御部１４ａは、第１画像処理パラメータ〜第４画像処理パラメータを変更可能な段階数が所定の上限値となった状態においてさらに操作検出部１４ｅによりピンチアウト操作が検出された場合には、第１リング部分５１ａ〜第４リング部分５１ｄのうち、選択部１４ｂによる選択位置があるリング部分を拡大すると共に画像処理パラメータを変更可能な段階数を増やして表示し、この他のリング部分を非表示にする。これにより、デジタルカメラ１では、カーソル５２によって選択されたリング部分に対応する画像処理パラメータを、より細かく調整することができる。また、デジタルカメラ１は、残りのリング部分を非表示にすることにより、残りのリング部分を表示している場合よりも表示画面内でリング画像５０が占める割合を減らすことができるので、表示画面を有効活用することができる。
【００６８】
（２）デジタルカメラ１において、表示制御部１４ａは、画像処理パラメータを変更可能な段階数が所定の下限値となった状態（すなわち第１サイズでリング画像５０を表示する状態）において、操作検出部１４ｅによりピンチイン操作が検出された場合には、リング画像５０を非表示にする。これにより、デジタルカメラ１では、ピンチイン操作を行うだけで、リング画像５０を縮小して非表示にするという一連の操作を行うことができるので、ユーザにとって操作が簡単である。
【００６９】
（３）デジタルカメラ１において、表示制御部１４ａは、リング画像５０が表示されていない状態において、操作検出部１４ｅによりピンチアウト操作が検出された場合には、リング画像５０を第１サイズで表示する。これにより、デジタルカメラ１では、ピンチアウト操作を行うだけで、リング画像５０を表示して拡大するという一連の操作を行うことができるので、ユーザにとって操作が簡単である。
【００７０】
（変形例１）
上述した実施の形態では、表示制御部１４ａは、第３サイズで表示されているリング画像５０上でピンチアウト操作された場合に、カーソル５２が表示されているリング部分のみを抜き出して拡大する例について説明した。しかしながら、表示制御部１４ａは、図１０に示すように、カーソル５２が表示されているリング部分のみを抜き出し、抜き出したリング部分の形状を１／４円形状から円形状に変更して表示するようにしてもよい。なお、図１０では、第１リング部分５１ａを抜き出して１／４円形状から円形状に変更した例について示している。
【００７１】
このとき、表示制御部１４ａは、円形状に変更した第１リング部分５１ａにおいて第１画像処理パラメータを変更可能な段階数を第３サイズのときよりも増やす。なお、円形状に変更した第１リング部分５１ａでは、たとえば、カーソル５２がリング画像５０の頂点地点から時計周りに１回転することにより、第１画像処理パラメータが「第１画像処理１００％」から「第２画像処理１００％」へ段階的に変更される。
【００７２】
（変形例２）
上述した実施の形態では、表示制御部１４ａは、第３サイズで表示されているリング画像５０上でピンチアウト操作された場合に、カーソル５２が表示されているリング部分を抜き出して拡大する例について説明した。しかしながら、表示制御部１４ａは、たとえば、ピンチアウト操作された位置に対応するリング部分を抜き出して拡大するようにしてもよい。
【００７３】
（変形例３）
上述した実施の形態では、表示制御部１４ａは、第３サイズで表示されているリング画像５０上でピンチアウト操作された場合に、１つのリング部分を抜き出して拡大する例について説明した。しかしながら、表示制御部１４ａは、この場合に、たとえばピンチアウト操作において複数のリング部分がタッチされている場合は、タッチされている複数のリング部分を抜き出して拡大するようにしてもよい。
【００７４】
たとえば、２つの指のうち一方が第４リング部分５１ｄ上をタッチし他方が第１リング部分５１ａ上をタッチした状態でピンチアウト操作が行われたとする。この場合、表示制御部１４ａは、図１１に示すように、第４リング部分５１ｄと第１リング部分５１ａとを両方とも抜き出して拡大し、この他のリング部分を非表示にする。したがって、リング画像５０は半円形状で表示される。このとき、表示制御部１４ａは、抜き出した第４リング部分５１ｄと第１リング部分５１ａの両方において画像処理パラメータを変更可能な段階数を第３サイズのときよりも増やす。
【００７５】
（変形例４）
上述した実施の形態では、表示制御部１４ａは、第３サイズで表示されているリング画像５０上でピンチアウト操作された場合に、カーソル５２が表示されているリング部分のみを抜き出して拡大し、この他のリング部分を非表示にする例について説明した。しかしながら、表示制御部１４ａは、この他のリング部分についても表示しておくようにしてもよい。
【００７６】
表示制御部１４ａは、たとえば、図１２に示すように、カーソル５２が表示されている第１リング部分５１ａを１／４円形状から中心角を広げる（たとえば半円形状とする）と共に、この他の３つのリング部分（第２リング部分５１ｂ〜第４リング部分５１ｄ）をそれぞれ１／４円形状から中心角を狭めて（たとえば半円を３分割した、中心角６０度の円弧形状として）表示するようにしてもよい。このとき表示制御部１４ａは、半円形状とした第１リング部分５１ａにおいて第１画像処理パラメータを変更可能な段階数を第３サイズのときよりも増やすと共に、この他のリング部分においては第１画像処理パラメータを変更可能な段階数を第３サイズのときよりも減らす。
【００７７】
このように、図１２に示す例では、リング画像５０において、カーソル５２が表示されているリング部分に対応する画像処理パラメータについてより細かく調整可能とすると共に、この他のリング部分に対応する画像処理パラメータについても荒い調整を可能とする。
【００７８】
（変形例５）
ピンチイン操作およびピンチアウト操作によってスルー画の電子ズームも行う場合については、たとえばこれらの操作の指の本数（タッチパネル１６ｂの接触位置の数）によって、電子ズームとリング画像５０の表示制御とを切り分けるようにしてもよい。たとえば、２本の指でピンチイン操作またはピンチアウト操作が行われた場合には電子ズームを行い、３本の指でピンチイン操作またはピンチアウト操作が行われた場合にはリング画像５０の表示を制御する。
【００７９】
（変形例６）
上述した実施の形態では、リング画像５０の表示サイズについて、第１サイズ、第２サイズ、第３サイズの３段階を設けるようにしたが、表示サイズを変更する段階数はこれに限らなくてもよい。たとえば、２段階であってもよいし、４段階以上であってもよい。
【００８０】
（変形例７）
上述した実施の形態では、リング画像５０によって変更できる第１画像処理パラメータ〜第４画像処理パラメータが、２つの画像処理の比率を示すパラメータである例について説明した。しかしながら、第１画像処理パラメータ〜第４画像処理パラメータは、この他のパラメータであってもよい。
【００８１】
たとえば、第１画像処理パラメータが、上述した第１画像処理の強度を示すパラメータであってもよい。この場合、第１画像処理パラメータは、たとえば、カーソル５２が第１位置Ｐ１から第２位置Ｐ２に移動すると、第１画像処理の強度が段階的に高くなるように変更される。
【００８２】
（変形例８）
上述した実施の形態では、リング画像５０において第１画像処理パラメータ〜第４画像処理パラメータを変更可能とする例について説明した。しかしながら、リング画像５０において変更可能とする画像処理パラメータの数はこれに限らなくてよく、２種類または３種類であってもよいし、５種類以上であってもよい。
【００８３】
（変形例９）
上述した実施の形態では、カーソル５２の表示位置を移動させることによりリング５１上におけるカーソル５２の位置（選択位置）を変更する例について説明した。しかしながら、カーソル５２を動かさずにリング５１を回転させて、リング５１上の各位置とカーソル５２との相対位置を変更することで、選択位置を変更するようにしてもよい。
【００８４】
（変形例１０）
上述した実施の形態では、画像処理パラメータを変更可能とするためのパラメータ画像として、円形状のリング画像５０を表示する例について説明した。しかしながら、パラメータ画像は、円形状の画像に限らなくてもよく、たとえば、バー形状の画像などであってもよい。
【００８５】
（変形例１１）
上述した実施の形態では、デジタルカメラ１の制御部１４が不図示のメモリに記録されたプログラムを実行することで、上述した図８〜図１０の処理を行う例について説明した。このプログラムは、製品出荷時に予め記録されていてもよいし、製品出荷後、メモリカードなどの記録媒体やインターネットなどのデータ信号を通じて提供されてもよい。図１３はその様子を示す図である。デジタルカメラ１は、メモリカードなどの記録媒体１８を介してプログラムの提供を受ける。また、デジタルカメラ１は通信回線１０１との接続機能を有する。コンピュータ１０２は上記プログラムを提供するサーバコンピュータであり、ハードディスク１０３などの記録媒体にプログラムを格納する。通信回線１０１は、インターネット、パソコン通信などの通信回線、あるいは専用通信回線などである。コンピュータ１０２はハードディスク１０３を使用してプログラムを読み出し、通信回線１０１を介してプログラムをデジタルカメラ１に送信する。すなわち、プログラムをデータ信号として搬送波を介して、通信回線１０１を介して送信する。このように、プログラムは、記録媒体やデータ信号（搬送波）などの種々の形態のコンピュータ読み込み可能なコンピュータプログラム製品として供給できる。
【００８６】
（変形例１２）
上述した実施の形態では、デジタルカメラに本発明を適用する例について説明したが、これに限らなくてよく、たとえば携帯電話機やタブレット端末などに本発明を適用するようにしてもよい。
【００８７】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００８８】
１…デジタルカメラ、１１…撮像光学系、１２…撮像素子、１４…制御部、１４ａ…表示制御部、１４ｂ…選択部、１４ｃ…パラメータ変更部、１４ｄ…画像処理部、１４ｅ…操作検出部、１６…操作部材、１６ｂ…タッチパネル、１７…表示部、１８…記録媒体
【図１】
2015106744.tif 000003
【図２】
2015106744.tif 000004
【図３】
2015106744.tif 000005
【図４】
2015106744.tif 000006
【図５】
2015106744.tif 000007
【図６】
2015106744.tif 000008
【図７】
2015106744.tif 000009
【図８】
2015106744.tif 000010
【図９】
2015106744.tif 000011
【図１０】
2015106744.tif 000012
【図１１】
2015106744.tif 000013
【図１２】
2015106744.tif 000014
【図１３】
2015106744.tif 000015